(57)【要約】【課題】携帯電話の表示部に表示されたＱＲコードを読取る際に、携帯電話の表示部への外光の映り込みを防止して、鮮明なＱＲコードの読取りを可能にする。【解決手段】自動改札装置３０の上面に窪み状の外光遮蔽部３２を設けて、この外光遮蔽部３２底部にＱＲコード読取部３３を設けるとにより、利用者は携帯電話１を外光遮蔽部３２に差し入れて表示部２をＱＲコード読取部３３にかざすと、表示部２は外光遮蔽部３２で囲われて表示部２への外光の映り込みが防止される、外光が外光遮蔽部３２により遮蔽された状態で表示部２に表示されている予約情報であるＱＲコードがＱＲコード読取部３３により読取られる。【選択図】図１
2007257185.tif 000002
【特許請求の範囲】
【請求項１】
利用者が提示するコード化された予約情報を読取り、利用者の入場の可否を判定する自動改札装置であって、
携帯端末の表示部に表示されたコードを光学的に読取るコード読取部と、
このコード読取部で読取ったコードを予約サーバに送信することで予約サーバから入手した予約状況に関する情報に基づいて入場の可否を判定する判定部と、
入場可の場合、それを証明するチケットを発券する発券部と、
前記コード読取部により前記携帯端末の表示部のコードを読取る際、前記表示部を囲って外光の映り込みを防止する外光遮蔽部と、
を備えたことを特徴とする自動改札装置。
【請求項２】
請求項１に記載の自動改札装置において
前記携帯端末は携帯電話とし、
前記外光遮蔽部は窪み状としたことを特徴とする自動改札装置。
【請求項３】
請求項１に記載の自動改札装置において
前記携帯端末は携帯電話とし、
前記外光遮蔽部は突部としたことを特徴とする自動改札装置。
【請求項４】
請求項３または請求項４に記載の自動改札装置において
前記外光遮蔽部の内側の幅は携帯電話を握った手が収まる幅で、深さはコード読取部の被写界深度内であり、折畳み式の携帯電話の収納したアンテナから折畳みのためのヒンジ部分が収まる長さであることを特徴とする自動改札装置。
【請求項５】
請求項２記載の自動改札装置において、
前記コード読取部の配置位置は前記外光遮蔽部の底部中央とし、かつ前記コード読取部は手前側が低くなるように傾斜させたことを特徴とする自動改札装置。
【請求項６】
請求項２〜請求項５のいずれか１項に記載の自動改札装置において
前記コード読取部の四辺に、携帯電話の表示部が傷つくのを防止すると共に外光の侵入を防止するための弾性を有する遮光材を設ことを特徴とする自動改札装置。
【請求項７】
予約サーバと情報を送受信することによってイベントを予約し、コード化された予約情報を受信する携帯端末と、
利用者の携帯端末からコード化された予約情報を読取り、予約サーバに照会した結果に基づいて利用者の入場の可否を判定する自動改札装置と、
利用者の携帯端末からの要求に応じてイベントの予約を受付け、コード化した予約情報を携帯端末に返信すると共に、自動改札装置から受信した予約情報に基づいて入場の可否を判断する情報を自動改札装置に返信する予約サーバと、
から構成される自動改札システムであって、
前記携帯端末はコード化された予約情報を表示する表示部を備え、
前記自動改札装置は、携帯端末の表示部に表示されたコードを光学的に読取るコード読取部と、このコード読取部で読取ったコードを予約サーバに送信することで予約サーバから入手した予約状況に関する情報した情報に基づいて入場の可否を判定する判定部と、入場可の場合、それを証明するチケットを発券する発券部と、前記コード読取部により前記携帯端末の表示部のコードを読取る際、前記表示部を囲って外光の映り込みを防止する外光遮蔽部とを備えたことを特徴とする自動改札システム。
【発明の詳細な説明】
【技術分野】
【０００１】
本発明は、映画館、コンサート会場、スポーツイベント会場等のイベント会場への入場者の改札をするため、携帯電話の表示部に表示したＱＲコードを読取って入場の可否を判定する自動改札装置及び自動改札システムに関する。
【背景技術】
【０００２】
携帯電話の表示部に表示したＱＲコードを読取る従来のＱＲコード読取部として、例えば特許文献１に示される２次元コードスキャナがある。
この２次元コードスキャナは上部に読取口を開口させ、携帯電話の表示部を読取口にかざすことで、表示部に表示された情報コード（ＱＲコード）を読取るようになっている。
【特許文献１】特開２００３−２２８６８９号公報（段落「００７４」〜段落「００８４」、図８、図９）
【発明の開示】
【発明が解決しようとする課題】
【０００３】
しかしながら、上述した従来の技術においては、携帯電話の表示部からＱＲコードを読取って改札を行う自動改札装置に適用すると、自動改札装置が屋外等のイベント会場の入場口等に設置された場合、西日や照明光等の外光が２次元コードスキャナ上面と携帯電話の間にできる隙間から張り込み、携帯電話の表示部（画面）に映り込んでしまうため、ＱＲコードを鮮明に読取ることができないという問題があった。
【０００４】
本発明は、このような問題を解決することを課題とする。
【課題を解決するための手段】
【０００５】
そのため、本発明は、利用者が提示するコード化された予約情報を読取り、利用者の入場の可否を判定する自動改札装置であって、携帯端末の表示部に表示されたコードを光学的に読取るコード読取部と、このコード読取部で読取ったコードを予約サーバに送信することで予約サーバから入手した予約状況に関する情報に基づいて入場の可否を判定する判定部と、入場可の場合、それを証明するチケットを発券する発券部と、前記コード読取部により前記携帯端末の表示部のコードを読取る際、前記表示部を囲って外光の映り込みを防止する外光遮蔽部とを備えたことを特徴とする。
【発明の効果】
【０００６】
このようにした本発明は、利用者が携帯電話を外光遮蔽部に差し入れて表示部をコード読取部にかざすと表示部は外光遮蔽部で囲われて外光が遮蔽されるため、コード読取部が表示部に表示されたコードを読取る際に表示部への外光の映り込みが防止され、これによりコード読取部は鮮明なコードを読取ることが可能になるという効果が得られる。
【発明を実施するための最良の形態】
【０００７】
以下、図面を参照して本発明による自動改札装置及び自動改札システムの実施例を説明する。
【実施例】
【０００８】
図１は自動改札装置を含む自動改札システムの実施例を示す構成図、図２は自動改札装置のブロック図である。
図１において１は利用者が携帯する携帯端末で、１０は電話回線等の通信回線、２０は予約センタ等に設けられた予約サーバ、３０はイベント会場に設けられた自動改札装置である。
【０００９】
携帯端末１は通信回線１０を介して予約サーバ２０と情報の送受信が可能な携帯電話やＰＨＳあるいはＰＤＡ等を使用できるが、本実施例では携帯電話として説明する。
この携帯電話１は各種の文字情報や画像情報等を表示する表示部２、ダイヤルキーやファンクションキー等の操作キーを設けた操作部３、通信回線１０に無線接続する引出し及び収納可能なアンテナ４を有している。
【００１０】
予約サーバ２０は、映画館、コンサート会場、スポーツイベント会場等のイベント会場で行われる各種のイベントの予約情報を管理するコンピュータで、各イベントに対応して予約情報を蓄積するデータベースと、予約情報をＱＲコード（二次元コード）化するＱＲコード生成部等を有し、予約情報を管理の管理に当たっては図示しない記億部に格納された制御プログラムに基づいて図示しない制御部が情報の処理を行い、通信部により通信回線１０を介して携帯電話１や自動改札装置３０と情報の送受信を行うものとなっている。
【００１１】
尚、本システムを利用する利用者は予め予約サーバ２０に会員登録し、その登録時に利用者に対して会員ＩＤが付与されている。
自動改札装置３０はスタンド３１により所定の高さに支持されていて、上面手前側に外光遮蔽部３２が設けられており、その底部中央に携帯端末１の表示部２に表示されるＱＲコードを光学的に読取るＱＲコード読取部３３が配置されていて、このＱＲコード読取部３３の四辺には携帯電話１の表示部２が傷つくのを防止すると共に外光の侵入を防止するための暗色の毛糸やスポンジ等の弾性を有する遮光材を設けている。
【００１２】
外光遮蔽部３２はＱＲコード読取部３３によりＱＲコードを読取る際に外光の映り込みを防止するためのもので、手前側が開放された窪み状に形成され、その窪みの幅は携帯電話１の表示部２が余裕を持って収まる幅でよいが、本実施例では携帯電話１を握った手が収まる幅とし、窪みの深さはＱＲコード読取部３３の被写界深度内としてある。
また、窪みの深さはＱＲコード読取部３３の被写界深度内とし、窪みの奥行きは折畳み式の携帯電話１の収納した状態のアンテナ４からヒンジ部分が収まる長さとしてあり、更に、窪みの底部は手前側が低くなるように傾斜させてあって、これにより窪みの底部に配置されるＱＲコード読取部３３も手前側が低くなるように傾斜させている。
【００１３】
尚、外光遮蔽部３２の内面つまり窪みの内面は各方向からの外光を反射させないようにマッド処理（無光沢処理）を施すことが望ましい。
自動改札装置３０の上面奥側には発券口３４が設けられており、また外光遮蔽部３２の一側には例えば赤と緑の２個のＬＥＤランプ３５ａ、３５ｂが設けられ、正面にはスピーカ３６が設けられている。
【００１４】
一方、自動改札装置３０の内部には、図２に示した制御部３９、プリンタ３７、及び記憶部３８等が設けられており、ＱＲコード読取部３３、ＬＥＤランプ３５ａ,３５ｂ、スピーカ３６、プリンタ３７、及び記憶部３８等は制御部３９に接続されている。
ここで制御部３９は記憶部３８に格納されている制御プログラムに基づいてＱＲコード読取部３３、ＬＥＤランプ３５ａ,３５ｂ、スピーカ３６、プリンタ３７等の動作を制御する他、図示しない通信部により通信回線１０を介して予約サーバ２０と情報の送受信を行い、また、予約サーバ２０から送られてくる情報に基づいて利用者の入場の可否を判定する判定部として機能する。
【００１５】
プリンタ３７は制御部３９の判定結果によりイベント会場に入場可能な利用者に対して入場券の半券にあたるチケットを発券する発券部として用いられ、所定の券紙に入場可能であることを証明する内容を印字して発券口３４から放出する機能を有している。
記憶部３８は前記制御プログラムを格納する他、携帯電話１から取得した情報や予約サーバ２０から受信した情報を一時的に記憶するものとなっている。
【００１６】
図３は上述した構成によるシステムの作用を示すフローチャートで、以下に図３にＳで示したステップに従ってイベントの予約と改札について説明する。
まず、利用者は携帯電話１を通信回線１０を介して予約サーバ２０にアクセスさせ、操作部３を操作して、自分の会員ＩＤ、イベントのタイトル、会場名、開催日時、希望席エリア等の予約に必要な情報を入力して予約申込情報として予約サーバ２０にする（Ｓ１）。
【００１７】
予約サーバ２０は利用者の携帯電話１から予約申込情報を受信すると、データベースを検索して利用者の会員ＩＤが正規のものかどうかを確認し、正規のものであれば予約申込情報に基づいて該当するイベントの予約が可能であるかどうかを判断する。
すでに予約が満杯で空席がない場合等により予約を受付けられない場合は、その旨の情報を利用者に返信して処理を終了するが、予約が可能であれば会員ＩＤ、イベントのタイトル、会場名、開催日時、座席番号等を予約情報としてデータベースに登録すると共に、この予約情報をＱＲコード生成部によりＱＲコード化して、利用者の携帯電話１に返信し（Ｓ２）、利用者の携帯電話１は受信したＱＲコードを記憶部に保存する。
【００１８】
尚、このＱＲコード化はデータベースにも登録され、併せて入場無しの情報も登録される。
利用者はイベントの該当日にイベント会場に行き、携帯電話１の操作部３を操作して表示部２に予約情報であるＱＲコードを表示させ、その表示部２を自動改札装置３０の外光遮蔽部３２に入れてＱＲコード読取部３３にかざすと（Ｓ３）、ＱＲコード読取部３３によりＱＲコードが読取られる。
【００１９】
ＱＲコード読取部３３が携帯電話１の表示部２からＱＲコードを読取ると、自動改札装置３０の制御部３９はそのＱＲコードを予約の照会を求める情報と共に通信回線１０を介して予約サーバ２０に送信する（Ｓ４）。
予約サーバ２０はデータベースを検索して自動改札装置３０から受信したＱＲコードが登録されているか否かにより予約の有無を調べ、更に該当する予約情報に対する入場の有無も調べて、予約が有り、入場が無しの場合は入場可能である旨の情報を自動改札装置３０に送信して、データベースの入場無しの情報を入場有りに行進し、また予約がない場合、予約が有っても入場有無の情報がすでに入場有りとなっている場合は入場不可の情報を通信回線１０を介して自動改札装置３０に送信する（Ｓ５）。
【００２０】
自動改札装置３０の制御部３９は予約サーバ２０から受信した情報が入場可能であるか、入場不可であるかを判断する。
尚、予約サーバ２０は予約の有無、入場の有無を自動改札装置３０に送信して、これを基に自動改札装置３０の制御部３９が入場可能、不可能の判断を行うようにしてもよい。
自動改札装置３０の制御部３９は予約サーバ２０から受信した情報が入場可能であるか、入場不可であるかを判断し、入場不可の場合は制御部３９は赤のＬＥＤランプ３５ａを点灯すると共に、スピーカ３６から入場不可の旨のメッセージを出力して利用者に通知し、入場可能の場合は緑のＬＥＤランプ３５ｂを点灯すると共にスピーカ３６から入場可能の旨のメッセージを出力して利用者に通知する。
【００２１】
また、入場可能な場合、制御部３０は携帯電話１から読取ったＱＲコードにより得られる予約情報つまりイベントのタイトル、会場名、開催日時、座席番号等の印字をプリンタに指示し、これによりプリンタ３７により所定の券紙に入場可能であることを証明する情報として前記予約情報を印字して発券口３４からチケットとして放出する（Ｓ６）。
利用者はこのチケットを受取ってイベント会場に入場する。
【００２２】
尚、自動改札装置３０の近傍に自動開閉式のゲートが設けられている場合、そのゲートの開閉を制御部３９の判断結果により制御することも可能である。
以上のようにしてイベントの予約と改札が行われるが、自動改札装置３０のＱＲコード読取部３３は上述したように窪み状の外光遮蔽部３２の底部に設けられているので、利用者は携帯電話１を外光遮蔽部３２に差し入れて表示部２をＱＲコード読取部３３にかざすと表示部２は外光遮蔽部３２で囲われることになり、そのため外光は外光遮蔽部３２により遮蔽されことになる。
【００２３】
これによりＱＲコード読取部３３がＱＲコードを読取る際に携帯電話１の表示部２への外光の映り込みが防止されるので、ＱＲコード読取部３３は鮮明なＱＲコードを読取ることが可能になるという効果が得られる。
また、外光遮蔽部３２の窪みは手前側が開放された窪み状に形成され、窪みの幅は携帯電話１を握った手が収まる幅としてあって、更に窪みの底部を手前側が低くなるように傾斜させることによりＱＲコード読取部３３も手前側が低くなるように傾斜させているため、携帯電話１の外光遮蔽部３２に容易に差し入れて表示部２をＱＲコード読取部３３にかざすことができ、そのため優れた操作性を実現できる。
【００２４】
図４は外光遮蔽部３２の別の例を示す斜視図である。
この外光遮蔽部３２は窪み状にする代わりに左右の両脇と奥の三方を成すコの形の突部として形成したもので、突部で囲まれた部分の幅、深さ、奥行きは窪みの場合と同様であり、ＱＲコード読取部３３も手前側が低くなるように傾斜させることも同様である。
このようにしても外光遮蔽部３２を窪み状にした場合と同様の効果が得られる。
【図面の簡単な説明】
【００２５】
【図１】自動改札システムの実施例を示す構成図
【図２】自動改札装置のブロック図
【図３】自動改札システムの作用を示すフローチャート
【図４】外光遮蔽部の別の例を示す斜視図
【符号の説明】
【００２６】
１    携帯電話
２    表示部
３    操作部
４    アンテナ
２０  予約サーバ
３０  自動改札装置
３２  外光遮蔽部
３３  ＱＲコード読取部
３４  発券口
３７  プリンタ
３９  制御部
【図１】
2007257185.tif 000003
【図２】
2007257185.tif 000004
【図３】
2007257185.tif 000005
【図４】
2007257185.tif 000006